(57)【要約】【課題】コンバインにおいて、刈取穀稈が後側回転体に巻き付き難い搬送装置が要望されている。【解決手段】フィーダ９に、フィードケース１２と、フィードケース１２の前端部に設けられた前側回転体１３と、フィーダケース１２の後端部に設けられた後側回転体１４と、前側回転体１３及び後側回転体１４に巻き付けられた複数の無端回動チェーン１５と、複数の無端回動チェーン１５に亘って左右方向に架設される複数の搬送スラット１６と、が備えられている。フィーダケース１２内において、前側回転体１３と後側回転体１４との間の後側回転体１４寄りの位置で、かつ、無端回動チェーン１５に対して内周側に、フィーダケース１２内の空間を上下に仕切る仕切り板３６が設けられている。【選択図】図３
2020000092.tif 000002
【特許請求の範囲】
【請求項１】
植立穀稈を刈り取る刈取り部と、
前記刈取り部の後方に設けられ、刈取穀稈の全稈を脱穀処理する脱穀装置と、
前記刈取り部と前記脱穀装置とに亘って設けられ、刈取穀稈の全稈を前記脱穀装置に向けて搬送する搬送装置と、が備えられているコンバインであって、
前記搬送装置に、ケースと、前記ケースの前端部に設けられた前側回転体と、前記ケースの後端部に設けられた後側回転体と、前記前側回転体及び前記後側回転体に巻き付けられた複数の無端回動体と、前記複数の無端回動体に亘って左右方向に架設される複数の搬送部材と、が備えられ、
前記ケース内において、前記前側回転体と前記後側回転体との間の前記後側回転体寄りの位置で、かつ、前記無端回動体に対して内周側に、前記ケース内の空間を上下に仕切る仕切り部材が設けられているコンバイン。
【請求項２】
前記仕切り部材は、搬送方向及び左右方向に延びる板状部材によって構成されている請求項１に記載のコンバイン。
【請求項３】
前記仕切り部材は、前記ケースの左右両側板に亘って左右方向に延びており、
前記仕切り部材の左右両端部は、夫々、前記ケースの左右両側板に固定されている請求項２に記載のコンバイン。
【請求項４】
前記前側回転体と前記後側回転体との間の前記後側回転体寄りの位置において、前記ケースの左右両側板に亘って左右方向に延びる横フレームが設けられ、
前記仕切り部材は、前記横フレームから前記前側回転体に向かって延び出ている請求項２又は３に記載のコンバイン。
【請求項５】
前記横フレームから前記前側回転体に向かって突出するステーが設けられ、
前記仕切り部材は、前記ステーに載置支持されている請求項４に記載のコンバイン。
【請求項６】
前記ステーは、前記ケースの左右両側板に亘って設けられている請求項５に記載のコンバイン。
【発明の詳細な説明】
【技術分野】
【０００１】
本発明は、植立穀稈を刈り取る刈取り部と、刈取り部の後方に設けられ、刈取穀稈の全稈を脱穀処理する脱穀装置と、刈取り部と脱穀装置とに亘って設けられ、刈取穀稈の全稈を脱穀装置に向けて搬送する搬送装置と、が備えられているコンバインに関する。
【背景技術】
【０００２】
上記のようなコンバインとして、例えば、特許文献１に記載のコンバインが既に知られている。特許文献１には、植立穀稈を刈り取る刈取り部（文献では「収穫部〔７〕」）と、刈取り部の後方に設けられ、刈取穀稈の全稈を脱穀処理する脱穀装置（文献では「脱穀装置〔４〕」）と、刈取り部と脱穀装置とに亘って設けられ、刈取穀稈の全稈を脱穀装置に向けて搬送する搬送装置（文献では「フィーダ〔６〕」）と、が備えられているコンバインが開示されている。搬送装置には、ケース（文献では「フィードケース〔２０〕」）と、ケースの前端部に設けられた前側回転体（文献では「始端側回転輪体〔２３〕」）と、ケースの後端部に設けられた後側回転体（文献では「終端側回転輪体〔２４〕」）と、前側回転体及び後側回転体に巻き付けられた複数の無端回動体（文献では「無端回動搬送体〔２１〕」）と、複数の無端回動体に亘って左右方向に架設される複数の搬送部材（文献では「搬送スラット〔２９〕」）と、が備えられている。
【先行技術文献】
【特許文献】
【０００３】
【特許文献１】特開２０１６−４９０９０号公報
【発明の概要】
【発明が解決しようとする課題】
【０００４】
特許文献１に記載のコンバインでは、刈取穀稈がケースの穀稈出口から排出されずに、後側回転体に連れ回りして後側回転体に巻き付くことが懸念される。
【０００５】
上記状況に鑑み、コンバインにおいて、刈取穀稈が後側回転体に巻き付き難い搬送装置が要望されている。
【課題を解決するための手段】
【０００６】
本発明の特徴は、植立穀稈を刈り取る刈取り部と、前記刈取り部の後方に設けられ、刈取穀稈の全稈を脱穀処理する脱穀装置と、前記刈取り部と前記脱穀装置とに亘って設けられ、刈取穀稈の全稈を前記脱穀装置に向けて搬送する搬送装置と、が備えられているコンバインであって、前記搬送装置に、ケースと、前記ケースの前端部に設けられた前側回転体と、前記ケースの後端部に設けられた後側回転体と、前記前側回転体及び前記後側回転体に巻き付けられた複数の無端回動体と、前記複数の無端回動体に亘って左右方向に架設される複数の搬送部材と、が備えられ、前記ケース内において、前記前側回転体と前記後側回転体との間の前記後側回転体寄りの位置で、かつ、前記無端回動体に対して内周側に、前記ケース内の空間を上下に仕切る仕切り部材が設けられていることにある。
【０００７】
ここで、刈取穀稈が後側回転体に連れ回ると、刈取穀稈が後側回転体に対して前側から巻き付こうとする。しかし、本特徴構成によれば、刈取穀稈が後側回転体に対して前側から巻き付こうとすると、仕切り部材に遮られることになる。これにより、刈取穀稈が後側回転体に巻き付き難い。
【０００８】
さらに、本発明において、前記仕切り部材は、搬送方向及び左右方向に延びる板状部材によって構成されていると好適である。
【０００９】
本特徴構成によれば、稈長が長い刈取穀稈（長稈）であっても、刈取穀稈が後側回転体に巻き付かないように、刈取穀稈を遮ることができる。また、左右方向の広い範囲に亘って、刈取穀稈が後側回転体に巻き付かないように、刈取穀稈を遮ることができる。
【００１０】
さらに、本発明において、前記仕切り部材は、前記ケースの左右両側板に亘って左右方向に延びており、前記仕切り部材の左右両端部は、夫々、前記ケースの左右両側板に固定されていると好適である。
【００１１】
本特徴構成によれば、左右方向の一層広い範囲に亘って、刈取穀稈が後側回転体に巻き付かないように、刈取穀稈を遮ることができる。また、剛性の高い部材であるケースの左右両側板を利用して、仕切り部材をしっかりと支持することができる。
【００１２】
さらに、本発明において、前記前側回転体と前記後側回転体との間の前記後側回転体寄りの位置において、前記ケースの左右両側板に亘って左右方向に延びる横フレームが設けられ、前記仕切り部材は、前記横フレームから前記前側回転体に向かって延び出ていると好適である。
【００１３】
本特徴構成によれば、ケースの左右両側板が横フレームによって補強され、かつ、仕切り部材が横フレームを介してケースの左右両側板に支持されることになる。これにより、剛性の高い部材であるケースの左右両側板を利用して、仕切り部材をしっかりと支持することができる。
【００１４】
さらに、本発明において、前記横フレームから前記前側回転体に向かって突出するステーが設けられ、前記仕切り部材は、前記ステーに載置支持されていると好適である。
【００１５】
本特徴構成によれば、仕切り部材がステーに下方から支持されることになる。これにより、仕切り部材に対して上側から刈取穀稈が作用しても、仕切り部材がステーから外れないように、仕切り部材をステーによってしっかりと支持することができる。
【００１６】
さらに、本発明において、前記ステーは、前記ケースの左右両側板に亘って設けられていると好適である。
【００１７】
本特徴構成によれば、左右方向の広い範囲に亘って、仕切り部材をステーによってしっかりと支持することができる。
【図面の簡単な説明】
【００１８】
【図１】コンバインを示す左側面図である。
【図２】コンバインを示す平面図である。
【図３】フィーダを示す左側面断面図である。
【図４】フィーダを示す平面断面図である。
【図５】刈取り駆動チェーン用のテンション構造を示す右側面図である。
【図６】別実施形態に係るフィーダを示す左側面断面図である。
【図７】別実施形態に係るフィーダを示す平面断面図である。
【発明を実施するための形態】
【００１９】
本発明を実施するための形態について、図面に基づき説明する。なお、以下の説明では、矢印Ｆの方向を「機体前側」（図１及び図２参照）、矢印Ｂの方向を「機体後側」（図１及び図２参照）、矢印Ｌの方向を「機体左側」（図２参照）、矢印Ｒの方向を「機体右側」（図２参照）とする。
【００２０】
〔コンバインの全体構成〕
図１及び図２には、全稈投入型コンバインを示している。本コンバインには、機体フレーム１と、クローラ走行装置２と、が備えられている。走行機体の前方には、植立穀稈を刈り取る刈取り部３が設けられている。刈取り部３には、植立穀稈を掻き込む掻込みリール４と、植立穀稈を切断する刈刃５と、刈取穀稈を掻き込む掻込みオーガ６と、が備えられている。走行機体の前部における右側箇所には、運転者が搭乗する運転部７が設けられている。刈取り部３の後方には、刈取穀稈の全稈を脱穀処理する脱穀装置８が設けられている。刈取り部３と脱穀装置８とに亘って、刈取り部３からの刈取穀稈の全稈を脱穀装置８に向けて搬送するフィーダ９（本発明に係る「搬送装置」に相当）が設けられている。フィーダ９内の塵埃を外部に排出する排塵装置１０が設けられている。脱穀処理後の穀粒を貯留する穀粒貯留ホッパー１１が脱穀装置８と横並びに設けられている。
【００２１】
〔フィーダ〕
図３及び図４に示すように、フィーダ９には、フィーダケース１２（本発明に係る「ケース」に相当）と、前側回転体１３と、後側回転体１４と、左右一対の無端回動チェーン１５（本発明に係る「無端回動体」に相当）と、複数の搬送スラット１６（本発明に係る「搬送部材」に相当）と、が備えられている。なお、図４は、フィーダ９を示す平面断面図であるが、図４には、無端回動チェーン１５のうち上側経路に対応する部分が示されている。
【００２２】
フィーダケース１２には、底板１７と、左右一対の側板１８と、天板１９と、が備えられている。フィーダケース１２の前端部には、掻込みオーガ６からの刈取穀稈が導入される穀稈入口１２ａが形成されている。フィーダケース１２の後端部には、刈取穀稈が脱穀装置８に向けて送り出される穀稈出口１２ｂが形成されている。
【００２３】
天板１９の後部には、点検口１９ａが形成されている。点検口１９ａを開閉可能に覆う蓋２０が設けられている。前側回転体１３と後側回転体１４との間の後側回転体１４寄りの位置において、左右両側の側板１８に亘って左右方向に延びる補強用の横フレーム２１が設けられている。
【００２４】
前側回転体１３は、フィーダケース１２の前端部に設けられている。前側回転体１３は、前側支軸２２を介して左右両側の側板１８に回転可能に支持されている。後側回転体１４は、フィーダケース１２の後端部に設けられている。後側回転体１４は、後側支軸２３を介して左右両側の側板１８に回転可能に支持されている。
【００２５】
後側回転体１４には、後側支軸２３と、左右一対のスプロケット２４と、が備えられている。各スプロケット２４は、後側支軸２３に相対回転不能に支持されている。各スプロケット２４のうち後側支軸２３に外嵌する部分（ボス部）を覆うボスカバー２５が設けられている。各ボスカバー２５は、各スプロケット２４及び後側支軸２３に相対回転可能に支持されている。
【００２６】
刈取穀稈が後側支軸２３に巻き付くのを防止するべく、後側支軸２３のうち左右両側のボスカバー２５に亘る部分を覆う軸カバー２６が設けられている。軸カバー２６は、後側支軸２３に相対回転可能に支持され、かつ、各ボスカバー２５にボルト固定されている。軸カバー２６がスプロケット２４（後側支軸２３）に連れ回らないように、軸カバー２６と横フレーム２１とに亘ってこれらを連結する連結体２７が設けられている。これにより、軸カバー２６がスプロケット２４（後側支軸２３）に連れ回りして刈取穀稈が軸カバー２６に巻き付くことがないようにすることができる。また、各ボスカバー２５が軸カバー２６にボルト固定されている結果、各ボスカバー２５がスプロケット２４（後側支軸２３）に連れ回ることもない。
【００２７】
各側板１８には、後側支軸２３が挿通され、かつ、後側支軸２３を回転可能に支持するボス部３１が設けられている。後側支軸２３のうち左側のボス部３１から左方に向かって突出する部分には、プーリ２８が設けられている。プーリ２８には、脱穀装置８からの動力がベルト（図示省略）を介して伝達される。後側支軸２３のうち右側のボス部３１から右方に向かって突出する部分には、スプロケット２９が設けられている。スプロケット２９からは、後側支軸２３からの動力がチェーン３０（図５参照）を介して刈取り部３に伝達される。各ボス部３１と横フレーム２１とに亘ってこれらを連結する連結体３２が設けられている。各側板１８の横外側部において、各側板１８のうち横フレーム２１に対応する部分と各ボス部３１に対応する部分とに亘って、補強用のフレーム３３が設けられている。
【００２８】
左側の無端回動チェーン１５は、左側のスプロケット２４及び後側回転体１４の左側部分に巻き付けられている。右側の無端回動チェーン１５は、右側のスプロケット２４及び後側回転体１４の右側部分に巻き付けられている。各搬送スラット１６は、左右両側の無端回動チェーン１５に亘って左右方向に架設されている。左右両側の無端回動チェーン１５に張力を付与するテンション機構３４が設けられている。テンション機構３４には、左側の無端回動チェーン１５のうち上側経路に対応する部分に下方から接触するテンションローラ３５と、右側の無端回動チェーン１５のうち上側経路に対応する部分に下方から接触するテンションローラ３５と、が備えられている。
【００２９】
脱穀装置８からの動力がプーリ２８を介して後側支軸２３に伝達されると、左右両側の無端回動チェーン１５が矢印Ａ（図３参照）の方向に回動される。穀稈入口１２ａに導入された刈取穀稈は、前側回転体１３の外周部に沿って下降する搬送スラット１６の掻込み作用により、無端回動チェーン１５のうち下側経路に対応する部分と底板１７との間に掻き込まれる。掻き込まれた刈取穀稈は、搬送スラット１６の搬送作用により、底板１７に沿って後方に搬送される。穀稈出口１２ｂに搬送された刈取穀稈は、スプロケット２４の外周部に沿って上昇する搬送スラット１６の送出し作用により、穀稈出口１２ｂから脱穀装置８に向けて送り出されて脱穀装置８に投入される。
【００３０】
〔仕切り板〕
図３及び図４に示すように、フィーダケース１２内において、前側回転体１３と後側回転体１４との間の後側回転体１４寄りの位置で、かつ、無端回動チェーン１５に対して内周側に、フィーダケース１２内の空間を上下に仕切る仕切り板３６（本発明に係る「仕切り部材」に相当）が設けられている。仕切り板３６は、前側回転体１３（前側支軸２２）の回転軸心と後側回転体１４（後側支軸２３）の回転軸心とを結ぶ直線Ｌｓの中心Ｃよりも後側回転体１４側に位置している。仕切り板３６は、底板１７に対して平行に搬送方向及び左右方向に延びる板状部材によって構成されている。仕切り板３６は、横フレーム２１から前側回転体１３に向かって延び出ている。仕切り板３６は、左右両側の側板１８に亘って左右方向に延びている。仕切り板３６は、横フレーム２１及び左右両側の側板１８に支持されている。
【００３１】
仕切り板３６には、左側部分を構成する左側板体３７と、右側部分を構成する右側板体３８と、が備えられている。右側板体３８の左右長さは、左側板体３７の左右長さよりも長い。左側板体３７の左縁部には、上方に折れ曲がるフランジ部３７ａが形成されている。フランジ部３７ａは、左側の側板１８にボルト３９によって取外し可能に固定（本実施形態では、四箇所）されている。右側板体３８の右端部には、上方に折れ曲がるフランジ部３８ａが形成されている。フランジ部３８ａは、右側の側板１８にボルト３９によって取外し可能に固定（本実施形態では、四箇所）されている。
【００３２】
左側板体３７と右側板体３８とは、左側板体３７が右側板体３８に対して上側から重ね合わされた状態で連結されている。左側板体３７と右側板体３８とは、仕切り板３６の左右長さを調節可能なように、長さ調節機構４０を介して連結されている。長さ調節機構４０には、左側板体３７に形成され、かつ、左右方向に長い長孔３７ｂと、長孔３７ｂに挿通され、かつ、左側板体３７と右側板体３８とを連結するボルト４１と、が備えられている。
【００３３】
仕切り板３６の左右長さを長さ調節機構４０によって縮めることにより、仕切り板３６を点検口１９ａからフィーダケース１２内に容易に入れることができる。そして、仕切り板３６をフィーダケース１２内に入れた状態で、仕切り板３６の左右長さを長さ調節機構４０によって伸ばすことにより、仕切り板３６の左右長さを左右両側の側板１８の間隔に容易に合わすことができる。
【００３４】
仕切り板３６は、横フレーム２１から前側回転体１３に向かって突出するステー４２に載置支持されている。ステー４２は、断面形状が略Ｌ字形状であり、かつ、左右方向に長い部材によって構成されている。ステー４２は、左右両側の側板１８の間隔と同程度の左右長さ（具体的には、左右両側の側板１８の間隔よりも若干短い左右長さ）を有している。仕切り板３６の後端部は、ステー４２に載置支持され、かつ、ステー４２にボルト４３によって取外し可能に固定（本実施形態では、三箇所）されている。
【００３５】
ここで、刈取穀稈がスプロケット２４に連れ回ると、刈取穀稈がスプロケット２４等に対して前側から巻き付こうとする。しかし、刈取穀稈がスプロケット２４や軸カバー２６、ボスカバー２５に対して前側から巻き付こうとすると、仕切り板３６や横フレーム２１に遮られることになる。これにより、刈取穀稈がスプロケット２４や軸カバー２６、ボスカバー２５に巻き付き難い。
【００３６】
〔刈取り駆動チェーン用のテンション構造〕
図５に示すように、刈取り駆動用のチェーン３０に張力を付与するテンション機構４４が設けられている。テンション機構４４には、揺動可能なテンションアーム４５と、テンションアーム４５の先端部に支持され、かつ、チェーン３０のうち上側経路に対応する部分に下方から接触するテンションローラ４６と、一端部がテンションアーム４５に連結されたロッド４７と、ロッド４７に外嵌され、かつ、テンションアーム４５を張力付与側に揺動付勢するスプリング４８と、が備えられている。テンションアーム４５は、左右方向に延びる軸心Ｘ１周りで揺動可能なように、右側の側板１８に支軸４９を介して支持されている。
【００３７】
右側の側板１８の横外側部には、ロッド４７を支持する受け具５０が設けられている。受け具５０には、ロッド４７が挿通される長孔（図示省略）が形成されている。ロッド４７には、スプリング４８の長さ（付勢力）を調整するナット５１が取り付けられている。
【００３８】
ここで、チェーン３０に規定の張力を付与するためには、スプリング４８の長さを一定に調整する必要がある。本実施形態では、テンションアーム４５が受け具５０と干渉することなく、テンションアーム４５の揺動範囲Ｒｓができるだけ大きくなるように、支軸４９の位置を設定している。これにより、チェーン３０の伸びが大きくなっても、チェーン３０に規定の張力を付与するべく、スプリング４８の長さを一定に調整してテンションアーム４５の揺動位置を変更することができる。
【００３９】
〔別実施形態〕
（１）上記実施形態に係る軸カバー２６に代えて、軸カバー１２６が採用されていてもよい。図６及び図７に示すように、軸カバー１２６は、後側支軸２３のうち左右両側のスプロケット２４に亘る部分を覆っている。軸カバー１２６は、略円筒状部材（本実施形態では、樹脂製）によって構成されている。軸カバー１２６は、後側支軸２３の軸心直交方向に二分割され、かつ、二つの分割体のうち一方の分割体が後側支軸２３の軸心方向に三分割されて構成されている。軸カバー１２６は、後側支軸２３及び各スプロケット２４に相対回転可能に支持されている。軸カバー１２６がスプロケット２４（後側支軸２３）に連れ回らないように、軸カバー１２６と横フレーム２１とに亘ってこれらを連結する連結体２７が設けられている。連結体２７のうち軸カバー１２６側の部分は、軸カバー１２６（具体的には、後側支軸２３の軸心方向における三つの分割体のうち真ん中の分割体）に形成された平坦面部にボルト固定されている。
【００４０】
（２）上記実施形態では、本発明に係る「仕切り部材」は、板状部材によって構成されている。しかし、本発明に係る「仕切り部材」は、フィーダケース１２内の空間を上下に仕切ることが可能なものであれば、板状部材に限定されるものではない。
【００４１】
（３）上記実施形態では、仕切り板３６は、左右両側の側板１８に亘って左右方向に延びている。しかし、仕切り板３６は、左右両側の側板１８に亘っていなくてもよい。すなわち、仕切り板３６の左右長さは、右両側の側板１８の間隔よりも短くてもよい。
【００４２】
（４）上記実施形態では、仕切り板３６の左右両端部は、夫々、左右両側の側板１８にボルト固定されている。しかし、例えば、仕切り板３６の左右両端部のうち少なくとも一方の端部は、ステー（図示省略）に固定され、かつ、当該ステーを介して側板１８に支持されていてもよい。
【００４３】
（５）上記実施形態では、ステー４２は、左右両側の側板１８の間隔と同程度の左右長さ（具体的には、左右両側の側板１８の間隔よりも若干短い左右長さ）を有している。しかし、ステー４２は、左右両側の側板１８に亘る左右長さを有していてもよい。すなわち、ステー４２は、左右両側の側板１８に亘って設けられていてもよい。
【００４４】
（６）上記実施形態では、仕切り板３６は、横フレーム２１から前側回転体１３に向かって突出するステー４２に載置支持されている。しかし、仕切り板３６は、ステー４２を介さずに横フレーム２１に支持（横フレーム２１に直接支持）されていてもよい。あるいは、仕切り板３６は、横フレーム２１に支持されていなくてもよい。
【００４５】
（７）上記実施形態では、仕切り板３６は、左右長さを調節可能に構成されている。しかし、仕切り板３６は、左右長さを調節可能に構成されていなくてもよい。例えば、仕切り板３６は、一枚の板状部材によって構成されていてもよい。
【００４６】
（８）上記実施形態では、本発明に係る「無端回動体」として、左右一対の無端回動チェーン１５が備えられている。しかし、本発明に係る「無端回動体」として、三つ以上の無端回動チェーン１５が備えられていてもよい。
【産業上の利用可能性】
【００４７】
本発明は、全稈投入型コンバインに利用可能である。
【符号の説明】
【００４８】
３  刈取り部
８  脱穀装置
９  フィーダ（搬送装置）
１２  フィードケース（ケース）
１３  前側回転体
１４  後側回転体
１５  無端回動チェーン（無端回動体）
１６  搬送スラット（搬送部材）
２１  横フレーム
３６  仕切り板（仕切り部材）
４２  ステー
【図１】
2020000092.tif 000003
【図２】
2020000092.tif 000004
【図３】
2020000092.tif 000005
【図４】
2020000092.tif 000006
【図５】
2020000092.tif 000007
【図６】
2020000092.tif 000008
【図７】
2020000092.tif 000009